(57)【要約】【課題】  ドライアイスを使用することなく、遺体の必要な箇所を効率的に冷却することができる安価な遺体冷却装置を提供する。【解決手段】  胸部から腹部を被覆可能な冷却用面状体３と、該冷却用面状体の冷却手段を有する遺体冷却装置１であって、冷却用面状体は、所定数の短冊状の蛇行細管型ヒートパイプ２が、その長手方向が冷却用面状体の横幅方向に合致されて所定数冷却用面状体の縦幅方向に並設され、各蛇行細管型ヒートパイプの放熱部が冷却用面状体の縦幅方向に配列され、各蛇行細管型ヒートパイプの放熱部に、短冊状の熱排出用蛇行細管型ヒートパイプ８を面接触させ、該熱排出用蛇行細管型ヒートパイプの放熱部にペルチェ素子４の吸熱部を面接触させ、該ペルチェ素子の放熱部の熱を冷却水循環型の水冷手段の吸熱ヘッド１０を介して吸熱させ、吸熱した冷却水をラジエーター５で空冷するように配管接続してなる。【選択図】  図２
2007044310.tif 000002
【特許請求の範囲】
【請求項１】
遺体の頭部および首部を除き、少なくとも胸部から腹部を被覆または胸部から腹部の背面側に下敷き可能な冷却用面状体と、該冷却用面状体の冷却手段を有することを特徴とする遺体冷却装置。
【請求項２】
前記冷却用面状体は、所定数の蛇行細管型ヒートパイプが面状に配設されてなるものであることを特徴とする請求項１記載の遺体冷却装置。
【請求項３】
前記蛇行細管型ヒートパイプは短冊状であって、各蛇行細管型ヒートパイプの長手方向が前記冷却用面状体の横幅方向に合致されて所定数冷却用面状体の縦幅方向に並設され、各蛇行細管型ヒートパイプの放熱部が前記冷却用面状体の縦幅方向に配列されてなることを特徴とする請求項２記載の遺体冷却装置。
【請求項４】
前記短冊状の蛇行細管型ヒートパイプは、遺体に対向する面に吸熱フィンが形成されてなることを特徴とする請求項３記載の遺体冷却装置。
【請求項５】
前記冷却用面状体は、蛇行細管型ヒートパイプが断熱材の片面側に配設されてなることを特徴とする請求項２、３または４記載の遺体冷却装置。
【請求項６】
前記各蛇行細管型ヒートパイプの放熱部に、短冊状の熱排出用蛇行細管型ヒートパイプを面接触させ、該熱排出用蛇行細管型ヒートパイプの放熱部にペルチェ素子の吸熱部を面接触させ、該ペルチェ素子の放熱部の熱を冷却水循環型の水冷手段の吸熱ヘッドを介して吸熱させ、吸熱した冷却水をラジエーターで空冷するように配管接続してなることを特徴とする請求項３、４または５記載の遺体冷却装置。
【請求項７】
局所冷却用のペルチェ素子を備えたことを特徴とする請求項６記載の遺体冷却装置。
【請求項８】
前記各蛇行細管型ヒートパイプの放熱部に、短冊状の熱排出用蛇行細管型ヒートパイプを面接触させ、該熱排出用蛇行細管型ヒートパイプの放熱部からの熱を冷却水循環型の水冷手段の吸熱ヘッドを介して吸熱させ、吸熱した冷却水が冷却ヘッドを介してペルチェ素子の吸熱部によって冷却されるように配管接続してなることを特徴とする請求項３、４または５記載の遺体冷却装置。
【請求項９】
前記各蛇行細管型ヒートパイプの放熱部に、短冊状の熱排出用蛇行細管型ヒートパイプを面接触させ、該熱排出用蛇行細管型ヒートパイプの放熱部からの熱を冷却水循環型の水冷手段の吸熱ヘッドを介して吸熱させ、吸熱した冷却水を冷凍機で冷却するように配管接続してなることを特徴とする請求項３、４または５記載の遺体冷却装置。
【請求項１０】
前記冷却用面状体は、冷却水循環用のフレキシブルホースが蛇行状に配設されてなることを特徴とする請求項１記載の遺体冷却装置。
【請求項１１】
前記冷却用面状体は、冷却水循環用のフレキシブルホースが断熱材の片面側に配設されてなることを特徴とする請求項１０記載の遺体冷却装置。
【請求項１２】
前記冷却水循環用のフレキシブルホースを通過した冷却水が、冷却ヘッドを介してペルチェ素子の吸熱部によって冷却されるように配管接続されてなることを特徴とする請求項１０または１１記載の遺体冷却装置。
【請求項１３】
前記冷却水循環用のフレキシブルホースを通過した冷却水が、冷凍機で冷却されるように配管接続されてなることを特徴とする請求項１０または１１記載の遺体冷却装置。
【請求項１４】
前記冷却用面状体が、棺内に設置されてなることを特徴とする請求項１乃至１３のいずれか１項に記載の遺体冷却装置。
【発明の詳細な説明】
【技術分野】
【０００１】
この発明は、遺体冷却装置に関するものである。さらに詳しくは、この発明は、遺体の腐敗、異臭の発生、細菌類の繁殖等を防止するのに好適な遺体冷却装置に関するものである。
【背景技術】
【０００２】
人が死亡した後、遺体は、通夜、告別式を経て火葬に付すまでの３〜４日程度の間、自宅で布団の上や棺内に安置されたり、または、会館で棺内に安置される。この間に遺体の腐敗が進行すると、死臭が発生したり、細菌類の繁殖等が生ずる。
遺体の腐敗を防止するのに、ドライアイスで遺体を冷却することが通常行われている。これは、簡便な方法ではあるが、ドライアイスによって遺体が部分的に凍結したりする等遺体の温度管理が難しく、また、その周りが結露したりすると見栄えが悪くなる。
ドライアイスは時間と共に減少することから、補充する必要があり、交換用のドライアイスの準備、交換作業等が面倒である。また、交換時に凍傷したり、遺体が病原菌等を有する場合には、二次感染の恐れがある。
また、火葬時にはドライアイスを除去しないと、高温状態（例えば、８００℃）になるのに時間がかかり、有毒のダイオキシンが発生することにもなるが、ドライアイスが除去されないまま火葬されているのが殆どといった実情にある。
また、ドライアイスは、１０ｋｇ／２４時間使用すると仮定すると、１日当たり３，５００円程の費用を必要とし、交換する毎のドライアイスの費用だけでも、相当な額となる。
そして、ドライアイスは、炭酸ガスとなることから、地球温暖化の原因にもなる。
【０００３】
こういったことから、ドライアイスを使用しないで棺内の遺体を冷却することが提案されている。
例えば、特許文献１には、上部に載せた棺の底部と接触又は密着する冷却部材を有し、冷却部材からの直接の熱伝導によって棺の底部を冷却し、これによって棺内に収納されている遺体を冷却することが記載されている。
【特許文献１】特開２００４−２６１１９９号公報
【発明の開示】
【発明が解決しようとする課題】
【０００４】
特許文献１に記載の発明においては、冷却部材からの熱伝導によって棺の底部が先ず冷却され、次いで、遺体が冷却されることになるが、棺の底部は、熱の不良導体であることから遺体が冷却されるまでに時間がかかるとともに、冷却効率が劣り、また、遺体を冷却するのに棺全体を冷却することにもなり、冷却のためのエネルギーが大量に必要となり、コスト高ともなる。また、例えば、自宅で布団に遺体を安置した後に棺に収納するような場合、棺に収納するまでは、依然としてドライアイスを使用せざるを得ない。
この発明は、上記のような実情に鑑み鋭意研究の結果創案されたものであり、ドライアイスを使用することなく、遺体の必要な箇所を効率的に冷却することができる安価な遺体冷却装置を提供することを目的としている。
【課題を解決するための手段】
【０００５】
上記課題を解決するために、この発明の遺体冷却装置は、（１）遺体の頭部および首部を除き、少なくとも胸部から腹部を被覆または胸部から腹部の背面側に下敷き可能な冷却用面状体と、該冷却用面状体の冷却手段を有することを特徴とする。
【０００６】
（２）前記（１）において、前記冷却用面状体は、所定数の蛇行細管型ヒートパイプが面状に配設されてなるものであることが好ましい。
（３）前記（２）において、前記蛇行細管型ヒートパイプは短冊状であって、各蛇行細管型ヒートパイプの長手方向が前記冷却用面状体の横幅方向に合致されて所定数冷却用面状体の縦幅方向に並設され、各蛇行細管型ヒートパイプの放熱部が前記冷却用面状体の縦幅方向に配列されてなることが好ましい。
（４）前記（３）において、前記短冊状の蛇行細管型ヒートパイプは、遺体に対向する面に吸熱フィンが形成されてなることが好ましい。
（５）前記（２）、（３）または（４）において、前記冷却用面状体は、蛇行細管型ヒートパイプが断熱材の片面側に配設されてなることが好ましい。
（６）前記（３）、（４）または（５）において、前記各蛇行細管型ヒートパイプの放熱部に、短冊状の熱排出用蛇行細管型ヒートパイプを面接触させ、該熱排出用蛇行細管型ヒートパイプの放熱部にペルチェ素子の吸熱部を面接触させ、該ペルチェ素子の放熱部の熱を冷却水循環型の水冷手段の吸熱ヘッドを介して吸熱させ、吸熱した冷却水をラジエーターで空冷するように配管接続してなることが好ましい。
（７）前記（６）において、局所冷却用のペルチェ素子を備えることが好ましい。
（８）前記（３）、（４）または（５）において、前記各蛇行細管型ヒートパイプの放熱部に、短冊状の熱排出用蛇行細管型ヒートパイプを面接触させ、該熱排出用蛇行細管型ヒートパイプの放熱部からの熱を冷却水循環型の水冷手段の吸熱ヘッドを介して吸熱させ、吸熱した冷却水が冷却ヘッドを介してペルチェ素子の吸熱部によって冷却されるように配管接続してなることが好ましい。
（９）前記（３）、（４）または（５）において、前記各蛇行細管型ヒートパイプの放熱部に、短冊状の熱排出用蛇行細管型ヒートパイプを面接触させ、該熱排出用蛇行細管型ヒートパイプの放熱部からの熱を冷却水循環型の水冷手段の吸熱ヘッドを介して吸熱させ、吸熱した冷却水を冷凍機で冷却するように配管接続してなることが好ましい。
【０００７】
（１０）前記（１）において、前記冷却用面状体は、冷却水循環用のフレキシブルホースが蛇行状に配設されてなることが好ましい。
（１１）前記（１０）において、前記冷却用面状体は、冷却水循環用のフレキシブルホースが断熱材の片面側に配設されてなることが好ましい。
（１２）前記（１０）または（１１）において、前記冷却水循環用のフレキシブルホースを通過した冷却水が、冷却ヘッドを介してペルチェ素子の吸熱部によって冷却されるように配管接続されてなることが好ましい。
（１３）前記（１０）または（１１）において、前記冷却水循環用のフレキシブルホースを通過した冷却水が、冷凍機で冷却されるように配管接続されてなることが好ましい。
【０００８】
（１４）前記（１）乃至（１１）のいずれか１において、前記冷却用面状体が、棺内に設置されてなることが好ましい。
【発明の効果】
【０００９】
この発明は、以上説明したように構成されているので、以下に記載されるような効果を奏する。
すなわち、この発明の遺体冷却装置によれば、冷却用面状体で遺体の頭部および首部を除き、少なくとも胸部から腹部を被覆または胸部から腹部の背面側に下敷きすることで、遺体の腐敗、異臭の発生、細菌の繁殖等の進行しやすい箇所を直接冷却することができることになり、前記したようなドライアイスによる遺体冷却の欠点もなく、また、冷却部材の上に載せた棺を、その底部から熱伝導で冷却することに比べ、遺体を所定の温度に冷却するまでに短時間で済み、冷却効率が良く、冷却に要するエネルギーも少なくて良く、低コストとなる。
【００１０】
冷却用面状体は、それ程大きくも重くもないことから取扱いも容易である。
また、冷却用面状体は、遺体を被覆するものにおいては、遺体の形状に似た湾曲面形状となっていれば、遺体の冷却を効率よく行うことができることになる。
そして、冷却手段による冷却能力を変更するようにすれば、冷却用面状体による遺体の冷却を所望の温度に設定することができる。
【００１１】
また、遺体の冷却は、冷却用面状体で遺体の頭部および首部を除き、少なくとも胸部から腹部を被覆または胸部から腹部の背面側に下敷きするだけでよく、簡便であり、自宅で布団に遺体を安置した状態、または、棺に遺体を収納して安置した状態のいずれでも選択可能である。そして、胸部から腹部だけでなく、身長が大きかったり、大腿部、足をも冷却する必要があれば、それだけの縦幅のある冷却用面状体を使用すればよいが、サイズの異なる冷却用面状体を複数用いるようにしてもよく、自由度が高い。
また、遺体の冷却状態を損なうことなく布団から棺へ移し替えて安置することができる。その際、例えば、冷却用面状体と遺体とを一緒に、または、棺内に遺体を収納後、冷却用面状体を遺体に被覆し直したり、または、冷却用面状体を棺内に敷いた後、遺体を収納するだけでよく、いずれであっても、容易に行うことができる。
【００１２】
そして、冷却用面状体が、棺内に設置されていれば、自宅で布団に遺体を安置する際には、棺から冷却用面状体を取り出して遺体を冷却した後、遺体の冷却状態を損なうことなく布団から棺へ移し替えて安置することができる。
遺体を火葬するに際しては、棺から冷却用面状体を取り出せばよい。
【００１３】
以下、さらに説明する。
冷却用面状体は、前記（２）の蛇行細管型ヒートパイプが配設されたもの、前記（１０）の冷却水循環用のフレキシブルホースが蛇行状に配設されたものに限られず、例えば、アルミニウムのような熱良導体であってもよい。前記（２）によれば、熱輸送能力に優れ、水平、斜め、垂直いずれの方向においても熱輸送が可能であることから、遺体の被覆方向等に制限が無く、しかも、遺体の形状にフィットした形状としておくことが可能であり、遺体の良好な冷却を行うことができる利点がある。前記（１０）によれば、柔軟構造であり、遺体が変わる毎にその形状にフィットさせやすく、遺体の冷却が良好に行えるほか、フレキシブルホースを蛇行状に配設することは容易であり、安価ともなる。
【００１４】
前記（３）によれば、例えば、冷却手段によっては、各蛇行細管型ヒートパイプの放熱部をそれぞれ冷却することが可能であって、各蛇行細管型ヒートパイプ毎に対応する遺体の箇所の冷却程度を変更することができる。
前記（４）によれば、遺体の冷却が吸熱フィンを介して有効に行われることになる。
前記（５）によれば、冷却用面状体の遺体と対向しない面を断熱することができ、遺体の冷却を効率よく行うことができる。
前記（３）、（４）または（５）においては、冷却用面状体の冷却手段としては、ペルチェ素子、冷凍機等の適宜の冷却手段が採用できる。そして、遺体の冷却に際し発生した熱、例えば、遺体の冷却のために使用した冷却手段から発生した熱は、遺体から離れ、遺体に熱的悪影響を与えない位置において放熱すればよく、適宜のヒートシンク構造によって行えばよい。
【００１５】
前記（６）によれば、ペルチェ素子の吸熱部と熱排出用蛇行細管型ヒートパイプの放熱部とを面接触させているため、吸熱のための熱の輸送ロスが少なく、ペルチェ素子の放熱部の温度は常温を超えており、吸熱ヘッドを介して吸熱した冷却水を輸送する配管には、結露等の恐れがない。
【００１６】
前記（７）によれば、必要に応じて、例えば頸動脈等を局所的に冷却することができる利点がある。
前記（８）によれば、冷却用面状体には遺体に熱的悪影響を与えるものが存在しないことから、遺体が昇温させられる恐れがない。
前記（９）によれば、冷却用面状体には遺体に熱的悪影響を与えるものが存在しないことから、遺体が昇温させられる恐れがなく、また、冷凍機はＣＯＰが高いことから、遺体の冷却のためのエネルギーコストを低く抑えることができる。
その他、前記（１０）〜（１３）による効果は、前述したことから、明らかであり省略する。
【発明を実施するための最良の形態】
【００１７】
以下、発明を実施するための最良の形態を示し、さらに詳しくこの発明について説明する。もちろんこの発明は以下の実施の形態によって限定されるものではない。
図１は、この発明の一実施の形態の遺体冷却装置を使用している斜視図であり、図２は、遺体冷却装置の概略図、図３は遺体冷却装置の部分分解斜視図である。
【００１８】
図１〜図３に示す遺体冷却装置１は、蛇行細管型ヒートパイプ２を配設した冷却用面状体３により遺体の胸部から腹部を被覆し、蛇行細管型ヒートパイプ２をペルチェ素子４で冷却して遺体を冷却し、ペルチェ素子４から発生する熱は冷却水で冷却し、吸熱した冷却水はラジエーター５で空冷するように配管接続して冷却水を循環させるようにしたものである。
【００１９】
蛇行細管型ヒートパイプとは、自励振動式ヒートパイプ（ＳＥＭＯＳ（Ｓｅｌｆ  Ｏｓｃｉｌａｔｉｎｇ−Ｆｌｏｗ）ｈｅａｔ  ｐｉｐｅ）とも称され、蛇行したループ状細管内に作動液を封入したものであって、受熱部（蒸発部）での熱吸収により作動液が相変化し、蒸気の移動を利用して潜熱を輸送する核沸騰により液相が振動し、この振動を利用して顕熱を輸送するものである。
蛇行細管型ヒートパイプは、熱輸送能力に優れ、水平、斜め、垂直いずれの方向においても熱輸送が可能であり、従来型のウイックを内蔵したヒートパイプと比べ、自由に屈曲することができる等といった特性を有する。蛇行細管型ヒートパイプは、例えば、ティーエスヒートロニクス（株）から販売されているアルエックスヒートレーンプレート（商品名）が使用できる。
【００２０】
この発明で使用される蛇行細管型ヒートパイプ２は、図３に示すように短冊状であって、各蛇行細管型ヒートパイプ２には、細管６が蛇行しループ状に形成されている（図３においては、一部の蛇行細管型ヒートパイプにおいて、細管６を破線で示し、その他の蛇行細管型ヒートパイプについては省略している。）。
【００２１】
そして、各蛇行細管型ヒートパイプ２の長手方向が冷却面状体の横幅方向（Ｘ方向）に合致されて、冷却用面状体の縦幅方向（Ｙ方向）に並設され、各蛇行細管型ヒートパイプ２の放熱部７が縦幅方向（Ｙ方向）に配列されて面状となっている。そして、各蛇行細管型ヒートパイプ２の放熱部７の上面側に短冊状の熱排出用蛇行細管型ヒートパイプ８を面接触させ、熱排出用蛇行細管型ヒートパイプ８の放熱部９にペルチェ素子４の吸熱部４ａを面接触させ、その放熱部４ｂには水冷式の吸熱ヘッド１０が取り付けられている。なお、図においては、ペルチェ素子４への通電ワイヤー、ペルチェ素子の制御装置等は省略している。蛇行細管型ヒートパイプ２を面状とするには、図示していないが、蛇行細管型ヒートパイプ２を並列させ、その長手方向を接着したり、薄い金属板等を用いて各蛇行細管型ヒートパイプ２を接着させてもよい。この場合は、蛇行細管型ヒートパイプ２と熱排出用蛇行細管型ヒートパイプ８との組み合わせが、この発明における冷却用面状体３を意味する。蛇行細管型ヒートパイプは、放熱部を除く部分が蒸発部となる。
【００２２】
また、後述するように面状に並設された蛇行細管型ヒートパイプ２、熱排出用蛇行細管型ヒートパイプ８の表側に、断熱材１４を設け一体としてもよい（図５参照）。この場合は、断熱材をも含めたものが、冷却用面状体３を形成することになる。断熱材を設けない場合は、布団等の断熱効果の高いものを掛けるようにすればよい。
【００２３】
面状に並設された蛇行細管型ヒートパイプ２で遺体を冷却することから、図４（ａ）に示すように遺体を被覆し易いように、長手方向に沿った円弧状湾曲面に形成されている。そして、各蛇行細管型ヒートパイプ２の遺体と対面する側には、各蛇行細管型ヒートパイプ２の長手方向と直交する吸熱用のフィン１５が多数設けられている。フィン１５は、冷却能力を向上させるのに役立つものであるが、必ず必要とされるものでもない。
【００２４】
図５は、断熱材１４を設けたもので、断熱材１４は蛇行細管型ヒートパイプ２を保護する機能も果たす。断熱材１４としては、例えば、合成樹脂製の多孔質発泡材等が採用できる。合成樹脂製の多孔質発泡材によって、接着剤等を使用せず、蛇行細管型ヒートパイプ２、熱排出用蛇行細管型ヒートパイプ８を一体にすることができる。
【００２５】
ペルチェ素子４の放熱部４ｂに取り付けられた吸熱ヘッド１０とラジエーター５との間での冷却水を循環させるための配管接続は、一対の往路用および復路用のフレキシブルホースを介して行われている。具体的には、吸熱ヘッド１０と、往路用のフレキシブルホース１６ａ、復路用のフレキシブルホース１６ｂの接続は、それぞれセルフシールカップリングを用いて行われ、ラジエーター５側との接続も同様にして行われる。
ラジエーター５側においては、往路用の配管１７ａの途中にタンク１８、循環用ポンプ１９が設けられており、循環用ポンプ１９で圧送され、ラジエーター５のファン２０で冷却された冷却水は復路用の配管１７ｂ、復路用のフレキシブルホース１６ｂを経て、吸熱ヘッド１０に戻る。ファン２０はモーター２１によって回転し、適宜の制御装置によりファンの回転が制御されるようになっている。
【００２６】
そして、図１、図２においては、ラジエーター５側は、タンク１８、循環用ポンプ１９、ファン２０等がケース２２に収納されている。
そして、遺体冷却装置１の冷却用面状体３で遺体Ｂの胸部から腹部を覆い、ペルチェ素子４に通電すると共に、ラジエーターのファン２０を起動させると、ペルチェ素子４の吸熱部４ａは低温側、放熱部４ｂは高温側となり、冷却水は循環する。
【００２７】
遺体Ｂ等の熱は、蛇行細管型ヒートパイプ２の作動液の蒸発部１１での蒸発、放熱部７への作動液の移動、放熱部７での凝縮によって輸送され、放熱部７から、熱排出用蛇行細管型ヒートパイプ８の蒸発部１３に移される。蛇行細管型ヒートパイプ２の放熱部７で凝縮した作動液は温度が低下した状態で蒸発部１１に戻り、再度蒸発し、その際の蒸発熱によって遺体Ｂを冷却する。そして、蛇行細管型ヒートパイプ２の放熱部７から放出された熱は、熱排出用蛇行細管型ヒートパイプ８の作動液の蒸発部１３での蒸発、放熱部９への作動液の移動、放熱部９での凝縮によって輸送され、放熱部９でペルチェ素子４の吸熱部４ａで冷却され凝縮する。温度が低下した作動液は熱排出用蛇行細管型ヒートパイプ８の蒸発部１３に移動し、蛇行細管型ヒートパイプ２の放熱部７の作動液を凝縮させる働きをする。蛇行細管型ヒートパイプ２の放熱部７で凝縮し冷却された作動液は蒸発部１１に戻る。このサイクルを繰り返すことで、遺体Ｂは冷却される。
【００２８】
一方、ペルチェ素子４の放熱部４ｂから発生した熱は、吸熱ヘッド１０を介して冷却水によって吸熱され、吸熱した冷却水は循環用ポンプ１９で圧送され、ファン２０で空冷された後、吸熱ヘッド１０に戻される。このサイクルが繰り返えされ、ペルチェ素子４から発生する熱は、遺体Ｂに熱的悪影響を与えない位置で放熱される。
遺体Ｂの冷却は、適宜の制御装置によってペルチェ素子４への通電を制御するようにすればよい。また、ペルチェ素子４の水冷の程度は、循環ポンプ１９、ファン２０を制御することで行えばよい。
【００２９】
この実施の形態の遺体冷却装置による効果のうち、発明の効果において既述したことは繰り返しを避けるため省略するが、遺体冷却装置１を用いれば、図１に示すように遺体Ｂを布団の上で冷却することができるし、図６に示すように棺内で遺体を冷却することができることになる。ケース２２も可搬性がよく取扱いが容易でもある。
【００３０】
図６は、図１に示す遺体冷却装置１のフレキシブルホースを別のものと取り替え、棺２５内に冷却用面状体３、ペルチェ素子（図示省略）、吸熱ヘッド１０が設置された状態を示す一部破断斜視図である。フレキシブルホース２６、２６の中間に接続パイプ２７、２７が設けられ、接続パイプ２７、２７が、棺本体２５ａと蓋２５ｂとの隙間に配置されている。なお、棺本体２５ａと蓋２５ｂとの間には、接続パイプ２７、２７の太さに対応した厚さのスペーサー２８が設けられている。
棺２５は、キャスター３０付きの棺台３１に載置されており、ケース２２は棺台３１に設置され、棺台３１とともに移動できるようになっている。
遺体を火葬するに際しては、スペーサーを取り外し、棺から冷却用面状体を取り出せばよい。
【００３１】
図７〜図８に示す遺体冷却装置４１は、ラジエーター側のタンク１８、循環用ポンプ１９、ファン２０等を棺台４２に収納したものである。
この遺体冷却装置４１は、遺体Ｂを布団に安置し冷却する際は、ラジエーター側のタンク、循環用ポンプ、ファン等が収納されているケース２２を使用してペルチェ素子４からの熱を放熱し、棺２５に安置して冷却する際は、棺台４２より熱を放熱するようにすることができる。
【００３２】
ここで使用される棺台４２は、図９（ａ）の正面図、（ｂ）の平面図、（ｃ）の左側面図に示すように、キャスター４０での移動を容易とするため、上下動可能とした取手４３を有しており、また、棺２５を載せやすくするために、棺２５を搬送する搬送ボール４５が台板４４に設けられているものである。
【００３３】
図１０は、蛇行細管型ヒートパイプ４７を波状に折り曲げ、表側に断熱材４８を配した冷却用面状体４９の部分拡大断面図である。これは、蛇行細管型ヒートパイプ４７が自由に屈曲することができることから、吸熱フィンを設けることの代わりとすることができる。
【００３４】
図１１は、さらに他の実施の形態の遺体冷却装置５１を示すものであって、冷却水を循環させるフレキシブルホース５２、５２の途中に分配器５３を設け、例えば、頸動脈等を局所的に冷却するペルチェ素子５４、５４の放熱部５４ａ、５４ａを吸熱ヘッド５５、５５で冷却するようにした点が、図２の遺体冷却装置１と異なるものである。図１１に示す遺体冷却装置５１において、遺体冷却装置２と同一の構成については、同一番号を付し詳細な説明は省略する。
【００３５】
図１２に示す遺体冷却装置６１は、ペルチェ素子６２を可搬性ケース６３内に設置したものであって、冷却用面状体３の冷却を、ペルチェ素子６２によって冷却された冷却水で行うように配管接続し、ペルチェ素子６２によって発生する熱は、空冷フィン６４をファン６５で空冷することで放熱されるようになっている。
具体的には、熱排出用蛇行細管型ヒートパイプ８の放熱部からの熱を水冷の吸熱ヘッド６６を介して吸熱させ、吸熱した冷却水が往路用のフレキシブルホース６７ａ内を移送され、往路側配管６８ａの途中に配設されたタンク７１、循環ポンプ７０を経、冷却ヘッド６９でペルチェ素子６２の吸熱部６２ａによって冷却される。ペルチェ素子６２で冷却された冷却水は、復路側配管６８ｂを通り、復路用のフレキシブルホース６７ｂ内を圧送され吸熱ヘッド６６に戻るようになっている。
【００３６】
その他は、図２に示した遺体冷却装置１と同様なことから、同一の構成については、同一番号を付し詳細な説明は省略する。
この実施の形態の遺体冷却装置６１による遺体の冷却メカニズムは、図２に示した遺体冷却装置１によるものと同様なことから説明は省略する。
また、この実施の形態の遺体冷却装置による効果のうち、発明の効果において既述したことから繰り返しを避けるため省略する。
【００３７】
図１３に示す遺体冷却装置８１は、圧縮冷凍機８２を可搬性ケース８３内に設置したものであって、冷却用面状体３の冷却を、圧縮冷凍機８２によって冷却された冷却水で行うように配管接続し、圧縮冷凍機８２の凝縮部８４によって発生する熱は、凝縮部８４をファン８５で空冷することで放熱されるようになっている。
具体的には、熱排出用蛇行細管型ヒートパイプ８の放熱部からの熱を水冷の吸熱ヘッド８６を介して吸熱させ、吸熱した冷却水が往路用のフレキシブルホース８７ａ内を移送され、往路側配管８８ａの途中のタンク８９、循環ポンプ９０を経、圧縮冷凍機８２の蒸発部９１によって冷却される。蒸発部９１で冷却された冷却水は、復路側配管８８ｂを経、復路用のフレキシブルホース８７ｂ内を圧送され吸熱ヘッド８６に戻るようになっている。図１３において、９２は圧縮機、９３は膨張弁である。
【００３８】
ここでは、冷凍機を圧縮冷凍機として説明したが、これに限られるものではない。
その他は、図２に示した遺体冷却装置１と同様なことから、同一の構成については、同一番号を付し詳細な説明は省略する。
この実施の形態の遺体冷却装置８１による遺体の冷却メカニズムは、前記した遺体冷却装置６１によるものと同様なことから説明は省略する。
また、この実施の形態の遺体冷却装置による効果のうち、発明の効果において既述したことから繰り返しを避けるため省略する。
【００３９】
図１４（ａ）に示す遺体冷却装置１０１は、冷却用面状体１０２として、遺体と対向する側に冷水循環用のフレキシブルホース１０３が蛇行状に配設され、表側が断熱材１０４となっているものを使用している点が、図１２に示す遺体冷却装置６１と相違するものである。
図１４（ｂ）は冷却用面状体１０２のＨ−Ｈ線断面図である。断熱材１０４は、フレキシブルホース１０３を保持する機能も果たす。
その他、図１２に示した遺体冷却装置６１と同様な構成については、同一番号を付し詳細な説明は省略する。
【００４０】
次に、図１５に示す遺体冷却装置１１１は、冷却用面状体１０２として、遺体と対向する側に冷水循環用のフレキシブルホース１０３が蛇行状に配設され、表側が断熱材１０４となっているものを使用している点が、図１３に示す遺体冷却装置８１と相違するものである。
その他、図１３に示した遺体冷却装置８１と同様な構成については、同一番号を付し詳細な説明は省略する。
図１４、図１５に示された冷却用面状体１０２は、柔軟構造にできることから、遺体が変わる毎にその形状にフィットさせやすく、遺体の冷却が良好に行えるほか、フレキシブルホースを蛇行状に配設することは容易であり、安価ともなる。
【００４１】
この発明の遺体冷却装置は、前記したものに限定されるものではない。以下、さらに例示する。
すなわち、熱排出用蛇行細管型ヒートパイプを用いないで、並列した蛇行細管型ヒートパイプの数に対応した数のペルチェ素子を用い、各蛇行細管型ヒートパイプの放熱部にそれぞれのペルチェ素子の吸熱部を面接触させ、各ペルチェ素子の放熱部の熱を水冷式の吸熱ヘッドを介して吸熱するようにしてもよい。このようにすれば、各ペルチェ素子への通電をそれぞれ制御することで、遺体の箇所に応じた最適冷却を行うことができる。
【００４２】
また、短冊状の蛇行細管型ヒートパイプに代えて、遺体の胸部から腹部を被覆するサイズの面状蛇行細管型ヒートパイプを用いてもよい。この場合も熱排出用蛇行細管型ヒートパイプを使用する必要がなく、さらに、ペルチェ素子も一つで済むことになる。
【００４３】
また、遺体の胸部から腹部を被覆するサイズの面状蛇行細管型ヒートパイプに代えて、アルミニウム等の熱導電性の良好な金属板を用いてもよい。これによれば、蛇行細管型ヒートパイプを必要とせず、遺体冷却装置を安価に提供することができる。
なお、ペルチェ素子の放熱部を冷却する水冷式吸熱ヘッドは、ジャケット状とすると、稍構造が複雑となるものの、吸熱性の観点からは好ましい。
【００４４】
以上の説明においては、冷却用面状体は、遺体の胸部から腹部を被覆するものとしたが、胸部から腹部の背面側に下敷きするものとしてもよい。
【００４５】
死亡直後から遺体をドライアイスで冷却すると、遺族の中には、遺体の血色が悪くなったり、ドライアイス近傍に霜がついたり結露したりすることに抵抗感を覚える遺族も中にはあるが、冷却用面状体で遺体の胸部から腹部を被覆するものであっても、胸部から腹部の背面側に下敷きするものであっても、いずれの場合であっても、ドライアイス等で冷却する場合と異なり、遺体を冷却していることが目立たず、遺体を冷却することに対する遺族の抵抗感を和らげることが期待できる。
【００４６】
そして、冷却用面状体で遺体の胸部から腹部を被覆するものであっても、胸部から腹部の背面側に下敷きするものであっても、いずれの場合であっても、冷却用面状体は、遺体のサイズに合わせて、各種のサイズのものを揃えておくことが好ましい。
また、冷却用面状体を胸部から足部までの長さのものとしてもよい。
【図面の簡単な説明】
【００４７】
【図１】この発明の一実施の形態の遺体冷却装置を使用している状態を示す斜視図である。
【図２】図１に示す遺体冷却装置の概略図である。
【図３】図１に示す遺体冷却装置の（ａ）は部分分解斜視図、（ｂ）はその一部品の平面図である。
【図４】図１に示す遺体冷却装置における冷却用面状体を示し、（ａ）は正面図、（ｂ）は平面図である。
【図５】図１に示す遺体冷却装置における冷却用面状体の他例を示し、（ａ）は正面図、（ｂ）は平面図である。
【図６】図１に示す遺体冷却装置を使用する他の状態を示し、（ａ）は一部破断斜視図、（ｂ）は部分正面図である。
【図７】この発明の他の実施の形態の遺体冷却装置を使用している状態を示す一部破断斜視図である。
【図８】図７に示す遺体冷却装置の一部破断斜視図である。
【図９】図８に示す遺体冷却装置に使用する棺台を示し、（ａ）は正面図、（ｂ）は平面図、（ｃ）は左側面図である。
【図１０】この発明のさらに他の実施の形態を示す遺体冷却装置における冷却用面状体の部分断面図である。
【図１１】この発明の遺体冷却装置のさらに他の実施の形態を示す概略図である。
【図１２】この発明の遺体冷却装置のさらに他の実施の形態を示す概略図である。
【図１３】この発明の遺体冷却装置のさらに他の実施の形態を示す概略図である。
【図１４】この発明の遺体冷却装置のさらに他の実施の形態を示し、（ａ）は概略図、（ｂ）は（ａ）のＨ−Ｈ線断面図である。
【図１５】この発明の遺体冷却装置のさらに他の実施の形態を示す概略図である。
【符号の説明】
【００４８】
１  遺体冷却装置
２  蛇行細管型ヒートパイプ
３  冷却用面状体
４  ペルチェ素子
５  ラジエーター
７  放熱部
８  熱排出用蛇行細管型ヒートパイプ
９  放熱部
１０  吸熱ヘッド
【図１】
2007044310.tif 000003
【図２】
2007044310.tif 000004
【図３】
2007044310.tif 000005
【図４】
2007044310.tif 000006
【図５】
2007044310.tif 000007
【図６】
2007044310.tif 000008
【図７】
2007044310.tif 000009
【図８】
2007044310.tif 000010
【図９】
2007044310.tif 000011
【図１０】
2007044310.tif 000012
【図１１】
2007044310.tif 000013
【図１２】
2007044310.tif 000014
【図１３】
2007044310.tif 000015
【図１４】
2007044310.tif 000016
【図１５】
2007044310.tif 000017